(57)【要約】【課題】清掃部材に付着した液体吸収する吸収部材の吸収面が目詰まり状態となることを回避して清掃機能及び液体噴射機能を良好に維持することができる液体噴射装置及び液体噴射装置のメンテナンス方法を提供する。【解決手段】インクを吐出するノズル２１ｂが形成されたノズル形成面２１ａを有する記録ヘッド２１と、ノズル形成面に付着したインクを除去するためにノズル形成面を払拭するワイパー３２と、ワイパーに付着したインクを吸収するためにワイパーに接触する吸収面４６ａを有する受圧変形可能な多孔質体からなる吸収部材４６と、吸収部材の吸収面を押圧する押圧位置と押圧不能な非押圧位置との間を移動自在な押圧部材４７と、ワイパーから吸収面を介して吸収部材に吸収したインクを吸収部材の内部で拡散させるために吸収部材を変形させるべく押圧部材を非押圧位置から押圧位置に向かって移動させる昇降機構とを備えた。【選択図】図５
2010228214.tif 000002
【特許請求の範囲】
【請求項１】
液体を吐出するノズルが形成されたノズル形成面を有する液体噴射ヘッドと、
前記ノズル形成面に付着した液体を除去するために前記ノズル形成面を払拭する清掃部材と、
前記清掃部材に付着した液体を吸収するために前記清掃部材に接触する吸収面を有する受圧変形可能な多孔質体からなる吸収部材と、
前記吸収部材の前記吸収面を押圧する押圧位置と押圧不能な非押圧位置との間を移動自在な押圧部材と、
前記清掃部材から前記吸収面を介して前記吸収部材に吸収した前記液体を前記吸収部材の内部で拡散させるために前記吸収部材を変形させるべく前記押圧部材を前記非押圧位置から前記押圧位置に向かって移動させる移動機構と
を備えたことを特徴とする液体噴射装置。
【請求項２】
前記吸収部材は、洗浄液によって内部が湿潤状態に保持されていることを特徴とする請求項１に記載の液体噴射装置。
【請求項３】
前記洗浄液は不揮発性の液体であることを特徴とする請求項２に記載の液体噴射装置。
【請求項４】
前記押圧部材は、前記移動機構によって前記非押圧位置から前記押圧位置に向かって移動させられて前記吸収部材を押圧する押圧動作時以外は、前記非押圧位置において前記吸収部材から離間した状態で待機することを特徴とする請求項１〜請求項３のいずれか一項に記載の液体噴射装置。
【請求項５】
前記押圧部材は、洗浄液によって内部が湿潤状態に保持されている多孔質体からなることを特徴とする請求項１〜請求項４のいずれか一項に記載の液体噴射装置。
【請求項６】
前記押圧部材は、前記移動機構によって前記非押圧位置から前記押圧位置に向かって移動させられて前記吸収部材を押圧する押圧動作を複数回実行することを特徴とする請求項１〜請求項５のいずれか一項に記載の液体噴射装置。
【請求項７】
液体噴射ヘッドにおける液体を吐出するノズルが形成されたノズル形成面に付着した液体を除去するために清掃部材が前記ノズル形成面を払拭して清掃する清掃段階と、
前記清掃部材に付着した液体を吸収するために多孔質体からなる吸収部材が吸収面を前記清掃部材に接触させる吸収段階と、
前記吸収部材の前記吸収面を押圧する押圧位置と押圧不能な非押圧位置との間を移動自在な押圧部材と、
前記清掃部材から前記吸収面を介して前記液体を吸収した前記吸収部材の前記吸収面を押圧部材により押圧して前記液体を前記吸収部材の内部で拡散させる拡散段階と
を備えたことを特徴とする液体噴射装置のメンテナンス方法。
【発明の詳細な説明】
【技術分野】
【０００１】
本発明は、液体噴射装置、及び液体噴射装置のメンテナンス方法に関する。
【背景技術】
【０００２】
一般に、液体噴射装置の一種であるインクジェット式記録装置は記録ヘッド（液体噴射ヘッド）を備えるとともに、記録ヘッドには、インク（液体）を噴射するノズルがノズル形成面に形成されている。記録ヘッドは、加圧したインクをノズルからインク滴として記録用紙（記録媒体）に対して吐出させて印刷を行うため、記録用紙の記録面にインクが噴射されると、噴射されたインクが記録用紙の記録面からはね返って記録ヘッドのノズル形成面に付着することがある。また、ノズルの目詰まり等を抑制するために記録ヘッドをクリーニングする際には、ノズル形成面に当接したキャップ内にノズルから強制排出されたインクが充満するため、ノズル形成面にはインクが付着することになる。このようにノズル形成面に付着したインクを払拭して除去するために、ゴム状の可撓性を有する弾性体からなるワイパー（清掃部材）を設け、ワイパーの先端部を記録ヘッドのノズル形成面に摺動させて払拭することにより、記録ヘッドのノズル形成面を清掃している。
【０００３】
ところで、記録ヘッドのノズル形成面をワイパーで払拭すると、その払拭によりノズル形成面から除去されたインクがワイパーの先端部に付着する。そして、そのように先端部にインクが付着した状態のワイパーで再びノズル形成面を清掃のために払拭すると、ワイパーの先端部に付着していたインクがノズル形成面に再び付着してしまうという問題がある。この問題を回避するために、例えば、特許文献１に記載されるような記録ヘッドのヘッド面（ノズル形成面）清掃装置が提案されている。
【０００４】
特許文献１の記録ヘッドのヘッド面清掃装置では、ラック（歯部）を備えたスライダーにワイパーを取り付けるとともに、スライダーのラックをピニオンに噛み合わせて、駆動源からの回転をピニオンに伝達することにより、スライダーを往復動させてワイパーを直線往復動させるようにしている。さらに、ワイパーの往復動方向には、記録ヘッドのノズル形成面を払拭した後のワイパーの先端部が摺接可能である吸収面を有する多孔質体からなる吸収部材が配置されている。そして、記録ヘッドのヘッド面を清掃する際には、ワイパーを往復動させてヘッド面に付着しているインクを払拭するとともに、その払拭によりインクが付着したワイパーの先端部を吸収部材の吸収面に摺動させて、ワイパーの先端部に付着したインクを吸収部材により吸収するようにしている。
【先行技術文献】
【特許文献】
【０００５】
【特許文献１】特開平６−１４３５９７号公報
【発明の概要】
【発明が解決しようとする課題】
【０００６】
ところで、特許文献１の記録ヘッドのヘッド面清掃装置では、インクが付着した状態のワイパーの先端部を吸収部材の吸収面に摺動させて、ワイパーの先端部に付着していたインクを吸収部材の吸収面に付着させると、その吸収面に付着したインクが乾燥して固化することがあった。そして、そのように吸収面に付着したインクが固化して堆積すると、インクが堆積している吸収面においては、堆積しているインクによって多孔質体の吸収部材が目詰まり状態となってしまい、ワイパーの先端部に付着したインクを吸収部材によって吸収することが困難となる虞があった。
【０００７】
本発明は、こうした事情に鑑みてなされたものであり、その目的は、清掃部材に付着した液体吸収する吸収部材の吸収面が目詰まり状態となることを回避して清掃機能及び液体噴射機能を良好に維持することができる液体噴射装置、及び液体噴射装置のメンテナンス方法を提供することにある。
【課題を解決するための手段】
【０００８】
上記目的を達成するために、本発明の液体噴射装置は、液体を吐出するノズルが形成されたノズル形成面を有する液体噴射ヘッドと、前記ノズル形成面に付着した液体を除去するために前記ノズル形成面を払拭する清掃部材と、前記清掃部材に付着した液体を吸収するために前記清掃部材に接触する吸収面を有する受圧変形可能な多孔質体からなる吸収部材と、前記吸収部材の前記吸収面を押圧する押圧位置と押圧不能な非押圧位置との間を移動自在な押圧部材と、前記清掃部材から前記吸収面を介して前記吸収部材に吸収した前記液体を前記吸収部材の内部で拡散させるために前記吸収部材を変形させるべく前記押圧部材を前記非押圧位置から前記押圧位置に向かって移動させる移動機構とを備えた。
【０００９】
この発明によれば、清掃部材に付着した液体を吸収部材の吸収面で吸収した後に、移動機構によって押圧部材を非押圧位置から押圧位置に向かって移動させて、吸収部材の吸収面に押圧部材を押し付けることで、吸収部材の吸収面に付着している液体が、吸収部材の変形に伴い吸収部材の内部に拡散される。よって、清掃部材から吸収面を介して吸収部材に吸収した液体が吸収面に付着したままで固化して堆積してしまうことを抑制することができ、吸収部材の吸収面が目詰まり状態となることを回避して清掃機能及び液体噴射機能を良好に維持することができる。
【００１０】
本発明の液体噴射装置において、前記吸収部材は、洗浄液によって内部が湿潤状態に保持されている。
この発明によれば、多孔質体からなる吸収部材は、液体が付着した吸収面を押圧部材によって押圧されて変形することにより液体を内部に拡散させる場合に、その多孔質体内が洗浄液によって湿潤状態に保持されていることから、吸収面に付着している液体を円滑に多孔質体に拡散させることができる。
【００１１】
本発明の液体噴射装置において、前記洗浄液は不揮発性の液体である。
この発明によれば、不揮発性の液体は、蒸発しにくいために持続性が得られやすく、吸収部材を湿潤状態に保持するために好適であると共に、揮発性の液体と比べて浸透力が期待できるため、吸収部材に液体を拡散する効果を発揮しやすい。
【００１２】
本発明の液体噴射装置において、前記押圧部材は、前記移動機構によって前記非押圧位置から前記押圧位置に向かって移動させられて前記吸収部材を押圧する押圧動作時以外は、前記非押圧位置において前記吸収部材から離間した状態で待機する。
【００１３】
この発明によれば、吸収部材と押圧部材とが長時間互いに接触している状態を回避することができ、吸収部材と押圧部材との接触部分同士が吸収部材の吸収面に付着している液体によって接着してしまうことを抑制することができる。また、押圧部材によって吸収部材を長時間押し付けることで吸収部材が塑性変形してしまうことも抑制することができる。
【００１４】
本発明の液体噴射装置において、前記押圧部材は、洗浄液によって内部が湿潤状態に保持されている多孔質体からなる。
この発明によれば、押圧部材によって吸収部材を押圧する際に、押圧部材が有する洗浄液が吸収部材へ吸収される。よって、吸収部材をさらに湿潤状態にすることができる。一方で、吸収部材が押圧部材に押圧されることで吸収部材内に拡散された液体が、洗浄液によって湿潤状態に保持されている多孔質体からなる押圧部材へ吸収される。よって、吸収部材の吸収面が目詰まり状態となることをさらに回避することができる。
【００１５】
本発明の液体噴射装置において、前記押圧部材は、前記移動機構によって前記非押圧位置から前記押圧位置に向かって移動させられて前記吸収部材を押圧する押圧動作を複数回実行する。
【００１６】
この発明によれば、吸収部材を押圧部材によって押し付ける押圧動作を複数回実行することで、押圧動作が一回のときと比べて、吸収部材の吸収面に付着した液体が多孔質体からなる吸収部材内にさらに拡散されやすくなる。
【００１７】
本発明の液体噴射装置のメンテナンス方法は、液体噴射ヘッドにおける液体を吐出するノズルが形成されたノズル形成面に付着した液体を除去するために清掃部材が前記ノズル形成面を払拭して清掃する清掃段階と、前記清掃部材に付着した液体を吸収するために多孔質体からなる吸収部材が吸収面を前記清掃部材に接触させる吸収段階と、前記吸収部材の前記吸収面を押圧する押圧位置と押圧不能な非押圧位置との間を移動自在な押圧部材と、前記清掃部材から前記吸収面を介して前記液体を吸収した前記吸収部材の前記吸収面を押圧部材により押圧して前記液体を前記吸収部材の内部で拡散させる拡散段階とを備えた。この発明によれば、上記液体噴射装置の発明と同様の効果が得られる。
【図面の簡単な説明】
【００１８】
【図１】実施形態におけるインクジェット式プリンターを示す斜視図。
【図２】記録ヘッドがホームポジションに位置にあって、かつワイパーがノズル形成面を払拭する前の状態を示すメンテナンスユニットの縦断面模式図。
【図３】ワイパーの先端部とノズル形成面とが摺動している状態を示すメンテナンスユニットの縦断面模式図。
【図４】ワイパーの先端部と吸収部材の吸収面とが摺動している状態を示すメンテナンスユニットの縦断面模式図。
【図５】押圧部材によって吸収部材が押し付けられている状態を示すメンテナンスユニットの縦断面模式図。
【発明を実施するための形態】
【００１９】
以下、本発明を液体噴射装置の一種であるインクジェット式プリンターに具体化した一実施形態を図面に基づいて説明する。なお、以下の説明において、「前後方向」、「上下方向」及び「左右方向」をいう場合は、特に説明がない限り、図１において矢印で示す「前後方向」、「上下方向」及び「左右方向」をいうものとする。
【００２０】
図１に示すように、本実施形態に係る液体噴射装置としてのインクジェット式プリンター（以下、「プリンター」という。）１１は、平面視矩形状をなすフレーム１２を備えている。フレーム１２内にはプラテン１３が左右方向に延設されるとともに、プラテン１３上には紙送りモータ１４を有する紙送り機構により記録媒体としての記録用紙Ｐが後方側から前方側に向かって給送されるようになっている。また、フレーム１２内におけるプラテン１３の上方には、プラテン１３の長手方向（左右方向）と平行に延びるガイド軸１５が架設されている。
【００２１】
ガイド軸１５には、キャリッジ１６がガイド軸１５の軸線方向（左右方向）に沿って往復移動可能に支持されている。キャリッジ１６の下面には液体噴射ヘッドとしての記録ヘッド２１が設けられるとともに、キャリッジ１６上には記録ヘッド２１に対して液体としてのインクを供給するための複数（本実施形態では５つ）のインクカートリッジ２３が着脱可能に搭載されている。記録ヘッド２１は、平面視すると矩形状をしている。
【００２２】
図２に示すように、記録ヘッド２１の下面にて構成されるノズル形成面２１ａには、複数のノズル２１ｂが形成されるとともに、各インクカートリッジ２３は各ノズル２１ｂと個別に対応して、記録ヘッド２１内に形成されたインク流路（図示せず）を介して対応するノズル２１ｂにインクを個別供給する構成とされている。
【００２３】
図１に示すように、フレーム１２内の後面においてガイド軸１５の両端部と対応する位置には、駆動プーリー１７及び従動プーリー１８が回転自在に支持されている。駆動プーリー１７にはキャリッジ１６を往復移動させる際の駆動源となるキャリッジモータ１９が連結されるとともに、これら一対のプーリー１７，１８間には、キャリッジ１６を固定支持したタイミングベルト２０が掛装されている。したがって、キャリッジ１６に設けられた記録ヘッド２１は、キャリッジモータ１９の駆動により、ガイド軸１５にガイドされながらタイミングベルト２０を介して、記録用紙Ｐにインクを吐出して印刷を行う印刷位置と、フレーム１２内の一端部（図１において右端部）に設けられたホームポジションＨＰとの間を移動可能である。ここでいう印刷位置とは、記録用紙Ｐに対してインクを噴射する液体噴射位置のことをいい、ホームポジションＨＰとは、プリンター１１の電源オフ時や記録ヘッド２１をメンテナンスする場合に記録ヘッド２１を位置させるメンテナンス位置のことをいう。
【００２４】
ホームポジションＨＰの下方となる位置には、記録ヘッド２１からの記録用紙Ｐに対するインクの噴射が良好に維持されるように、各種のメンテナンス動作を行うメンテナンスユニット２４が設けられている。
【００２５】
メンテナンスユニット２４は、記録ヘッド２１のノズル形成面２１ａと対応した図示しないキャップと、キャップを昇降させるための昇降装置（図示せず）を備えている。記録ヘッド２１がホームポジションＨＰに移動した状態において、昇降装置の駆動に基づきキャップが上昇すると、キャップが各ノズル２１ｂを囲んだ状態でノズル形成面２１ａと当接するようになっている。そして、その状態で、図示しない吸引ポンプの駆動に伴いキャップ内が負圧になることによってノズル２１ｂからインクを吸引・排出することで記録ヘッド２１のクリーニングが行われる。
【００２６】
図２に示すように、メンテナンスユニット２４は、記録ヘッド２１における長手方向（図２において左右方向）の長さよりも長い帯状板４１を備えるとともに、帯状板４１の下面４１ａには長手方向（図２において左右方向）に沿ってラック４２が形成されている。帯状板４１のラック４２には、帯状板４１の長手方向と直交する方向に沿う軸線を中心に回転するピニオン４３が噛合されている。
【００２７】
帯状板４１の上面４１ｂにおける印刷位置側には、清掃部材としてのワイパー３２が帯状板４１の上面４１ｂに対して垂直方向に立設されている。ワイパー３２は弾性材料（例えば天然ゴム又は合成ゴム）からなるとともに短冊状に成形されている。なお、ワイパー３２における記録ヘッド２１のノズル形成面２１ａの長手方向と直交する方向の幅は、記録ヘッド２１のノズル形成面２１ａの長手方向と直交する方向の幅よりも大きい幅を有している。
【００２８】
メンテナンスユニット２４は、ホームポジションよりも一端側（印刷位置側とは反対側であって図１において右端部）に、一側面（印刷位置側の面）が開口された筐体４５を備えている。筐体４５は、帯状板４１が開口部４５ａを介して筐体４５内に入り込むことが可能な大きさとなっている。筐体４５の開口部４５ａであって、筐体４５を形成する上壁４５ｂの内面には、例えばウレタンフォームなどの多孔質体からなる平板状の吸収部材４６が固着されている。吸収部材４６の下面は、記録ヘッド２１がホームポジションＨＰに位置した状態において、ノズル形成面２１ａが位置する高さと同じ高さとなるように設けられている。
【００２９】
吸収部材４６は、図示しない洗浄液供給チューブを介して供給された洗浄液が吸収部材４６へと滲出することで湿潤状態に保持されている。なお、本実施形態では、洗浄液として不揮発性の液体が用いられている。また、不揮発性の液体としては、例えば、グリセリン、ジエチレングリコール、プロピレングリコール等を用いるのが好ましい。
【００３０】
筐体４５内には、例えばウレタンフォームなどの多孔質体からなる平板状の押圧部材４７が配置されている。押圧部材４７は、上記吸収部材４６と同様に、図示しない洗浄液供給チューブを介して供給された洗浄液が押圧部材４７へと滲出することで湿潤状態に保持されている。また、押圧部材４７は、移動機構としての昇降機構４９と連結された支持部材４８に支持されている。支持部材４８に支持された押圧部材４７は、メンテナンスユニット２４に備えられた制御部５０によって昇降機構４９が昇降制御されることで、吸収部材４６に向かって上方に移動可能である。
【００３１】
ピニオン４３には移動モータ４４が動力伝達可能に連結されるとともに、移動モータ４４は、制御部５０によって正逆両方向への回転が制御されるようになっている。なお、移動モータ４４は、例えば吸引ポンプの駆動源としてのモータが用いられる。そして、移動モータ４４の駆動に伴ってピニオン４３が回転することにより、ピニオン４３とラック４２とが噛合した状態の帯状板４１は水平状態を維持しつつ、図２において実線で示す位置と、筐体４５内であって、図２において二点鎖線で示す位置との間を往復移動するようになっている。なお、帯状板４１は、ピニオン４３とラック４２とが噛合した状態で、ピニオン４３とともに図示しない昇降機構によって上下方向に移動可能である。
【００３２】
次に、メンテナンスユニット２４の作用について説明する。
図２に示すように、記録ヘッド２１がホームポジションＨＰに位置している場合、まず、図示しない昇降機構によって帯状板４１を上方（図２に示す矢印Ｙの方向）に移動させる。このとき、昇降機構は、ワイパー３２の先端部３２ａの位置が記録ヘッド２１のノズル形成面２１ａよりも高さＨ１分だけ高くなるように帯状板４１を上方へ移動させるようになっている。
【００３３】
そして、その状態から、図３に示すように、ピニオン４３が移動モータ４４の駆動によって時計回り（図３に示す矢印Ｒの方向）に回転すると、帯状板４１が筐体４５内の方向（図３に示す矢印Ｘの方向）へ水平移動する。すると、ワイパー３２は、その先端部３２ａが記録ヘッド２１のノズル形成面２１ａに弾性変形を伴いながら摺接して記録ヘッド２１と左右方向にすれ違うように相対移動する。その結果、ノズル形成面２１ａは、付着しているインクがワイパー３２によって払拭されて清掃される（清掃段階）。
【００３４】
ところで、記録ヘッド２１のノズル形成面２１ａをワイパー３２で清掃すると、ワイパー３２の先端部３２ａで払拭したインクがその先端部３２ａに付着する。このワイパー３２の先端部３２ａに付着したインクを除去するために、図４に示すように、ピニオン４３を移動モータ４４の駆動によってさらに時計回り（図４に示す矢印Ｒの方向）に回転させる。すると、帯状板４１が筐体４５内の方向（図４に示す矢印Ｘの方向）へさらに水平移動する。そして、ワイパー３２の先端部３２ａが、吸収部材４６の下面にて構成される吸収面４６ａに摺接して吸収部材４６と左右方向にすれ違うように相対移動する。その結果、ワイパー３２の先端部３２ａに付着していたインクは、吸収部材４６の吸収面４６ａを介して吸収部材４６に吸収され、ワイパー３２の先端部３２ａが清掃される（吸収段階）。
【００３５】
そして、図５に示すように、ワイパー３２の先端部３２ａが吸収部材４６によって清掃された後の状態において、昇降機構４９によって支持部材４８を吸収部材４６に向かって上方（図５に示す矢印Ｙの方向）に移動させる。すると、支持部材４８に支持された押圧部材４７は、吸収部材４６に向かって上方に移動するとともに、押圧部材４７における吸収部材４６の吸収面４６ａと対向する面は、吸収部材４６の吸収面４６ａと面接触する。なお、押圧部材４７における吸収部材４６の吸収面４６ａと対向する面は、吸収部材４６の吸収面４６ａとほぼ同一の表面積を有している。
【００３６】
そして、昇降機構４９によって押圧部材４７をさらに上方の吸収部材４６を押圧可能な押圧位置へ向けて移動させて、吸収部材４６を押圧部材４７によって押圧して受圧変形させる。すると、吸収部材４６は、押圧部材４７によって押圧されて変形することで、吸収部材４６の吸収面４６ａに付着していたインクが、洗浄液によって湿潤状態に保持されている多孔質体からなる吸収部材４６全体に亘るように拡散される（拡散段階）。
【００３７】
押圧部材４７は、吸収部材４６を押圧して変形させることにより吸収面４６ａに付着していたインクを吸収部材４６内に拡散させた後、昇降機構４９によって押圧位置よりも下方へ移動させられ、元の位置（吸収部材４６を押し付けるために上方へ移動する前の位置）で待機する。すなわち、押圧部材４７は、ワイパー３２の先端部３２ａが吸収部材４６によって清掃された後に行う押圧動作時以外においては、吸収部材４６を押圧する押圧位置よりも下方位置であって吸収部材４６を押圧不能な非押圧位置（図２〜図４参照）に吸収部材４６と離間した状態で待機している。
【００３８】
上記実施形態では以下の効果を得ることができる。
（１）記録ヘッド２１のノズル形成面２１ａを払拭したワイパー３２の先端部３２ａに付着したインクを、ワイパー３２の先端部３２ａに吸収部材４６の吸収面４６ａを接触させて吸収した後に、昇降機構４９によって押圧部材４７を吸収部材４６の吸収面４６ａを押圧可能な押圧位置に向かって下方の非押圧位置から上方に移動させて、吸収部材４６を押圧すると、吸収部材４６の吸収面４６ａに付着していたインクが、多孔質体からなる吸収部材４６全体に亘るように拡散される。よって、ワイパー３２の先端部３２ａと吸収部材４６の吸収面４６ａとが接触することで、ワイパー３２の先端部３２ａから吸収面４６ａを介して吸収部材に吸収されるインクが吸収面４６ａに付着したまま固化して堆積してしまうことを抑制することができる。したがって、ワイパー３２の先端部３２ａに付着したインクを吸収する吸収部材４６の吸収面４６ａが、吸収面４６ａに付着したインクが固化して堆積してしまうことで目詰まり状態となることを回避して、ワイパー３２による清掃機能及び記録ヘッド２１による液体噴射機能を良好に維持することができる。しかも、多孔質体からなる吸収部材４６内は洗浄液によって湿潤状態に保持されているので、押圧部材４７により押圧されて変形した場合にインクをより円滑に拡散させることができる。
【００３９】
（２）吸収部材４６及び押圧部材４７を湿潤状態にするために用いられる洗浄液は、不揮発性の液体であって蒸発しにくいために持続性が得られやすく、吸収部材４６及び押圧部材４７を湿潤状態に保持するために好適である。また、揮発性の液体と比べて浸透力が期待できるため、吸収部材４６にインクを拡散する効果を発揮しやすい。
【００４０】
（３）吸収部材４６及び押圧部材４７は、ワイパー３２の先端部３２ａが吸収部材４６によって清掃された後に行う押圧部材４７の押圧動作時以外においては、押圧部材４７が吸収部材４６の吸収面４６ａを押圧不能な非押圧位置に位置して互いが離間した状態となっている。よって、吸収部材４６と押圧部材４７とが長時間互いに接触している状態を回避することができ、吸収部材４６と押圧部材４７との接触部分同士が吸収部材４６の吸収面４６ａに付着しているインクによって接着してしまうことを抑制することができる。また、押圧部材４７によって吸収部材４６を長時間押し付けることで吸収部材４６が塑性変形してしまうことも抑制することができる。
【００４１】
（４）押圧部材４７は多孔質体からなるとともに、洗浄液によって湿潤状態に保持されている。よって、押圧部材４７によって吸収部材４６を押圧する際に、押圧部材４７が有する洗浄液が吸収部材４６へ吸収される。よって、吸収部材４６をさらに湿潤状態にすることができる。一方で、吸収部材４６が押圧部材４７に押圧されることで吸収部材４６全体に拡散されたインクが、洗浄液によって湿潤状態に保持されている多孔質体からなる押圧部材４７へ吸収される。よって、吸収部材４６の吸収面４６ａが目詰まり状態となることをさらに回避することができる。
【００４２】
なお、上記実施形態は以下のような別の実施形態に変更してもよい。
・  実施形態において、ワイパー３２の先端部３２ａが吸収部材４６によって清掃された後の状態において、押圧部材４７によって吸収部材４６を押圧する押圧動作を複数回実行するようにしてもよい。これによれば、吸収部材４６を押圧部材４７によって押圧して変形させる押圧動作が一回のときと比べて、吸収部材４６の吸収面４６ａに付着したインクが、洗浄液によって湿潤状態に保持されている多孔質体からなる吸収部材４６にさらに拡散されやすくなる。
【００４３】
・  実施形態において、押圧部材４７によって吸収部材４６を押圧する押圧動作は、ワイパー３２の先端部３２ａが吸収部材４６によって清掃された後に行うようにしたが、これに限らず、例えば、プリンター１１の電源をオンにした際に押圧動作を行うようにしてもよい。
【００４４】
・  実施形態において、押圧部材４７は多孔質体からなるとともに、洗浄液によって湿潤状態に保持されているようにしたが、これに限らず、例えば、プラスチックや金属等からなる板状の部材であってもよい。
【００４５】
・  実施形態において、平板状の押圧部材４７に代えて、ローラ形状の押圧部材をメンテナンスユニット２４に配置するとともに、押圧部材を回転可能な構成にしてもよい。この場合、押圧部材によって吸収部材４６を押し付ける際に、押圧部材が回転しながら吸収部材４６を押圧するため、吸収部材４６を湿潤状態に保持している洗浄液を押圧部材によって搾り取ってしまう虞がある。そのため、搾り取られてしまった洗浄液を受容する受容部をメンテナンスユニット２４に設けるとともに、受容部に受容した洗浄液を吸収部材４６に戻すことができる機構を備えることが好ましい。
【００４６】
・  実施形態において、押圧部材４７は、ワイパー３２の先端部３２ａが吸収部材４６によって清掃された後に行う押圧動作時以外においては、非押圧位置において吸収部材４６と離間した状態で待機しているようにしたが、これに限らない。例えば、押圧部材４７は、ワイパー３２の先端部３２ａが吸収部材４６によって清掃された後に行う押圧動作後、吸収部材４６と接触した状態で待機するようにしてもよい。
【００４７】
・  実施形態において、押圧部材４７は支持部材４８に支持されるとともに、支持部材４８は昇降機構４９によって他の部品とは独立して昇降可能とする構成としたが、これに限らない。例えば、押圧部材４７を、キャップを昇降させるための昇降装置と一体的に設けるとともに、昇降装置の駆動に基づきキャップが上昇すると、押圧部材４７も一体的に上昇して、吸収部材４６を押圧するようにしてもよい。すなわち、記録ヘッド２１のノズル形成面２１ａにノズル２１ｂを囲うようにキャップを当接させた状態で吸引ポンプの駆動に伴いキャップ内を負圧にすることによってノズル２１ｂからインクを吸引・排出するクリーニング作業と同期して、上記押圧動作を実行するようにしてもよい。
【００４８】
・  実施形態において、吸収部材４６及び押圧部材４７を湿潤状態にするために不揮発性の液体を用いたが、これに限らず、例えば、揮発性の液体を用いてよい。
・  本発明を、印刷に用いられるインクジェット式プリンターとして具体化したが、この限りではなく、インク以外の他の液体（但し気体を除く）を吐出する液体噴射装置にも適用してよい。液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施形態で説明したようなインクや液晶等が挙げられる。ここで、インクとは一般的な水性インクおよび油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００４９】
１１…液体噴射装置としてのインクジェット式プリンター、２１…液体噴射ヘッドとしての記録ヘッド、２１ａ…ノズル形成面、２１ｂ…ノズル、３２…清掃部材としてのワイパー、４６…吸収部材、４６ａ…吸収面、４７…押圧部材、４９…移動機構としての昇降機構、Ｐ…記録媒体としての記録用紙。
【図１】
2010228214.tif 000003
【図２】
2010228214.tif 000004
【図３】
2010228214.tif 000005
【図４】
2010228214.tif 000006
【図５】
2010228214.tif 000007